(57)【要約】【課題】  送信形態を選択するための操作を行わなくても、かつ電話番号または電子メールアドレスを原稿に記載しなくても、宛先を入力するだけで、目的の送信形態で画像情報を送信することができる画像通信装置を提供する。【解決手段】  画像処理部５は、読み取り部４で読み取られた画像データに基づいて、原稿の所定領域に記載されている送信形態識別マークを識別する。さらに、読み取り部４で読み取られた画像データを送信形態に対応した画像データに変換処理する。送信形態識別マークがＦＡＸ送信と識別されると、ＦＡＸ通信制御部７は、パネル部３から入力された宛先に対応するファクシミリ電話番号へ画像データをＦＡＸ送信する。送信形態識別マークが電子メール送信と識別されると、ネットワーク制御部８は、パネル部３から入力された宛先に対応する電子メールアドレスへ、画像データを添付ファイルとして電子メール送信する。【選択図】      図１
2007215047.tif 000002
【特許請求の範囲】
【請求項１】
宛先を表す宛先情報毎にファクシミリの電話番号を表す電話番号情報および電子メールのアドレスを表すアドレス情報を対応付けて記憶する記憶手段と、
原稿を読み取る読取手段と、
宛先情報を入力する入力手段と、
画像情報をファクシミリ送信するためのファクシミリ送信手段と、
画像情報を添付ファイルとして電子メール送信するための電子メール送信手段と、
原稿の予め定める領域に記載され、かつ原稿を送信するための送信形態をファクシミリ送信および電子メール送信を含む送信形態の中から少なくとも１つ選択するための識別情報であって、読取手段によって読み取られた画像情報に含まれる識別情報に基づいて、その識別情報によって選択される送信形態を識別する送信形態識別手段と、
送信形態識別手段によってファクシミリ送信を含む送信形態であると識別されると、入力手段によって入力された宛先情報に対応する電話番号情報を記憶手段から抽出し、抽出された電話番号情報が示すファクシミリ電話番号の送信先へ、読取手段によって読み取られた画像情報を、ファクシミリ送信手段によってファクシミリ送信させ、さらに、送信形態識別手段によって電子メール送信を含む送信形態であると識別されると、入力手段によって入力された宛先情報に対応するアドレス情報を記憶手段から抽出し、抽出されたアドレス情報が示す電子メールアドレスの送信先へ、読取手段によって読み取られた画像情報を、電子メール送信手段によって添付ファイルとして電子メール送信させる制御手段とを含むことを特徴とする画像通信装置。
【請求項２】
宛先を表す宛先情報毎にファクシミリの電話番号を表す電話番号情報および電子メールのアドレスを表すアドレス情報を対応付けて記憶する記憶手段と、
原稿を読み取る読取手段と、
宛先情報を入力する入力手段と、
画像情報をファクシミリ送信するためのファクシミリ送信手段と、
原稿の予め定める領域に記載され、かつ原稿を送信するための送信形態をファクシミリ送信を含む送信形態の中から少なくとも１つ選択するための識別情報であって、読取手段によって読み取られた画像情報に含まれる識別情報に基づいて、その識別情報によって選択される送信形態を識別する送信形態識別手段と、
読取手段によって読み取られた画像情報をファクシミリ送信するための画像情報に変換する変換手段と、
送信形態識別手段によってファクシミリ送信を含む送信形態であると識別されると、入力手段によって入力された宛先情報に対応する電話番号情報を記憶手段から抽出し、抽出された電話番号情報が示すファクシミリ電話番号の送信先へ、変換手段によって変換された画像情報を、ファクシミリ送信手段によってファクシミリ送信させる制御手段とを含むことを特徴とする画像通信装置。
【請求項３】
宛先を表す宛先情報毎にファクシミリの電話番号を表す電話番号情報および電子メールのアドレスを表すアドレス情報を対応付けて記憶する記憶手段と、
原稿を読み取る読取手段と、
宛先情報を入力する入力手段と、
画像情報を添付ファイルとして電子メール送信するための電子メール送信手段と、
原稿の予め定める領域に記載され、かつ原稿を送信するための送信形態を電子メール送信を含む送信形態の中から少なくとも１つ選択するための識別情報であって、読取手段によって読み取られた画像情報に含まれる識別情報に基づいて、その識別情報によって選択される送信形態を識別する送信形態識別手段と、
読取手段によって読み取られた画像情報を電子メール送信するための画像情報に変換する変換手段と、
送信形態識別手段によって電子メール送信を含む送信形態であると識別されると、入力手段によって入力された宛先情報に対応するアドレス情報を記憶手段から抽出し、抽出されたアドレス情報が示す電子メールアドレスの送信先へ、変換手段によって変換された画像情報を、電子メール送信手段によって添付ファイルとして電子メール送信させる制御手段とを含むことを特徴とする画像通信装置。
【請求項４】
前記画像データ変換手段は、前記読取手段によって原稿から読み取られた画像情報を変換する際、その画像情報から識別情報を削除する識別情報削除手段を含むことを特徴とする請求項２または３に記載の画像通信装置。
【請求項５】
前記読取手段によって読み取られた画像情報から識別情報を削除する識別情報削除手段をさらに含み、
前記制御手段は、原稿から読み取られた画像情報をファクシミリ送信手段または電子メール送信手段によって送信させる際、識別情報削除手段によって識別情報が削除された画像情報を送信することを特徴とする請求項１に記載の画像通信装置。
【請求項６】
前記識別情報削除手段は、識別情報が記載されていた領域の情報を、白色の画像を表す画像情報に置き換えることを特徴とする請求項４または５に記載の画像通信装置。
【請求項７】
前記識別情報削除手段は、識別情報が記載されていた領域の情報を、その識別情報が記載されていた領域に隣接する領域に含まれる画素の平均濃度の画像情報に置き換えることを特徴とする請求項４または５に記載の画像通信装置。
【請求項８】
前記予め定める領域は、複数ページから構成される原稿の各ページの予め定める領域であり、
前記制御手段は、各ページの予め定める領域に記載された識別情報に基づいて前記送信形態識別手段によって識別されたページ毎の送信形態で、各ページの画像情報を送信することを特徴とする請求項１に記載の画像通信装置。
【請求項９】
前記制御手段は、前記送信形態識別手段が識別情報によって送信形態を識別することができないページの画像情報を、１つ前のページの画像情報を送信する送信形態と同じ送信形態で送信することを特徴とする請求項８に記載の画像通信装置。
【請求項１０】
前記記憶手段は、画像情報を送信する送信形態を、ファクシミリ送信とするか電子メール送信とするかを表す優先設定情報を宛先情報毎にさらに記憶し、
前記制御手段は、前記送信形態識別手段が識別情報によって送信形態を識別することができないページの画像情報を、記憶手段に記憶された優先設定情報のうち、画像情報を送信する宛先の宛先情報に対応する優先設定情報が示す送信形態で送信することを特徴とする請求項８に記載の画像通信装置。
【発明の詳細な説明】
【技術分野】
【０００１】
本発明は、通信回線を介して他の通信装置と画像通信を行う画像通信装置に関する。
【背景技術】
【０００２】
近年、ＰＣ（Personal Computer）ネットワークの普及によって電子メールでの情報通信の機会が増えており、スキャナ機能で読み取った画像を電子メールの添付ファイルとして画像送信する場合も多い。さらに、コンピュータ周辺装置のマルチファンクション化が進み、スキャナ、プリンタ、およびファクシミリ（以下ＦＡＸという）を一体化した画像通信装置たとえば複合機が普及しており、電子メール送信機能を有する複合機も市場投入されている。このような複合機における画像情報送信の形態としてはＦＡＸ送信と電子メール送信とがあり、一般的に両方の送信形態に対応している複合機が多い。
【０００３】
図１０は、第１の従来の技術による複合機に登録される宛先の登録リストの一例である。この複合機は、ワンタッチダイアルあるいは短縮ダイアルなどを登録するためのアドレスデータベースを有し、登録リストも、このアドレスデータベースに含まれる。この登録リストには、１つの宛先に対して、送信形態たとえばＦＡＸと電子メールとにそれぞれ対応したＦＡＸ電話番号と電子メールアドレスとが両方登録されている。具体的には、短縮ダイアルを表す「Ｎｏ．」毎に、「宛先名」、「ＦＡＸ電話番号」、および「電子メールアドレス」が登録されている。
【０００４】
図１１は、図１０に示した登録リストが登録された複合機におけるＦＡＸ送信および電子メール送信のフローチャートである。ステップＡ１では、原稿が検知されたか否かを判断する。原稿が検知されると、ステップＡ２に進み、原稿が検知されないと、ステップＡ１に戻る。ステップＡ２では、送信形態の選択入力が行われる。ステップＡ３では、宛先の入力が行われる。ステップＡ４では、ステップＡ２で選択入力された送信形態がＦＡＸ送信か否かを判断する。選択入力された送信形態がＦＡＸ送信であると、ステップＡ５へ進み、選択入力された送信形態がＦＡＸ送信でないと、ステップＡ８に進む。
【０００５】
ステップＡ５では、ステップＡ３で入力された宛先に対応付けられて登録されているＦＡＸ番号を抽出する。すなわち図１０に示した登録リストから対応するＦＡＸ番号を抽出する。ステップＡ６では、ＦＡＸ画像モードで原稿を読み取る。ステップＡ７では、ステップＡ６で読み取った原稿画像を、ステップＡ５で抽出したＦＡＸ番号へＦＡＸ送信を行って、処理を終了する。
【０００６】
ステップＡ８では、ステップＡ３で入力された宛先に対応付けられて登録されている電子メールアドレスを抽出する。すなわち図１０に示した登録リストから対応する電子メールアドレスを抽出する。ステップＡ９では、指定された画像モードたとえば電子メールモードで原稿を読み取る。ステップＡ１０では、読み取った画像データに基づいて添付ファイルを作成する。ステップＡ１１では、作成した添付ファイルを電子メールとして、ネットワークによって、ステップＡ８で抽出した電子メールアドレスへ送信して、処理を終了する。
【０００７】
このように、この複合機は、ユーザによって選択された送信形態がＦＡＸ送信の場合は、ユーザによって入力された宛先に対応するＦＡＸ電話番号を登録リストから抽出し、ユーザによって選択された送信形態が電子メールの場合は、ユーザによって入力された宛先に対応する電子メールアドレスを登録リストから抽出し、抽出したＦＡＸ電話番号または電子メールアドレスの送信先へ、原稿をスキャンして読み取った原稿画像を送信するものである。
【０００８】
第２の従来の技術として、電子メール送信機能付きファクシミリ装置がある。この電子メール送信機能付きファクシミリ装置は、送信形態がファクシミリか電子メールかを宛先毎に対応付けておき、原稿を読み取った画像情報を、指示された宛先に対応する送信形態で送信する（たとえば特許文献１参照）。
【０００９】
第３の従来の技術として、画像処理装置がある。この画像処理装置は、原稿の所定の領域たとえば先端部に記載された電話番号あるいはＥ−ｍａｉｌ（電子メール）アドレスを読み取って、文字認識によって、読み取った情報が電話番号か電子メールアドレスかを認識する。そして、電話番号であると認識した場合、電話回線に接続して原稿画像を電話番号の相手先に送信し、電子メールアドレスと認識した場合、原稿画像を添付ファイルとして電子メールアドレスの相手先へ送信する（たとえば特許文献２参照）。
【００１０】
第４の従来の技術として、ファクシミリ電子メール伝送装置がある。このファクシミリ電子メール伝送装置は、原稿に記載されたファクシミリ送信先の電話番号または電子メール送信先のアドレスおよび伝言内容をイメージデータとして読み取り、イメージデータから文字認識によって識別されたファクシミリ送信先の電話番号または電子メール送信先のアドレスへ、伝言内容のイメージデータを送信する。ファクシミリ送信先の電話番号または電子メール送信先のアドレス伝言内容は、原稿の所定の領域に記載される（たとえば特許文献３参照）。
【００１１】
【特許文献１】特開平９−１４９１８９号公報
【特許文献２】特開２００１−３２０５４２号公報
【特許文献３】特開平１１−２７５２９７号公報
【発明の開示】
【発明が解決しようとする課題】
【００１２】
第１の従来の技術は、ＦＡＸ送信および電子メール送信両機能を有する複合機であるが、画像を送信する前に送信形態を選択する必要があるという問題がある。同一の宛先へ両方の送信形態を利用する場合あるいは複数のユーザが利用する場合、選択操作を誤ると意図しない送信形態で送信されてしまうという危険性がある。さらに、送信依頼者と装置を操作して送信を行う者とが異なる場合、伝達が不十分であるために送信依頼者の意図通りの送信形態で送信されない可能性がある。
【００１３】
第２の従来の技術は、宛先を入力すれば送信形態は自動的に選択されるので、意図しない送信形態で送信されることはないが、１つの宛先には、１つの送信形態でしか送信することができないという問題がある。１つの宛先に対して、２つの宛先名を付して、それぞれに別の送信形態を登録してもよいが、短縮キーに割り当てる場合、２つの短縮キーと割り当てた２つの送信形態の対応をとらなければならず、発信間違いを起こす恐れがある。さらに１つの宛先に２つの宛先名を登録するので、メモリ容量を逼迫する。
【００１４】
第３および第４の従来の技術は、原稿に記載された宛先情報を読み取り、読み取った画像情報を文字認識によって認識し、認識した電話番号あるいは電子メールアドレスに送信するので、意図しない送信形態で送信するというような事態は発生しない。しかしながら、原稿に電話番号または電子メールアドレスを記載する必要があるという問題があり、記入ミスによる送信失敗が発生する可能性が高い。さらに文字認識を行なうので、文字の大きさ、色、および濃度などを考慮すると、認識精度を上げるために高解像度の読み取り性能が必要となり、低解像度で送信可能なＦＡＸ送信にとっては、高コストとなってしまう。
【００１５】
本発明の目的は、送信形態を選択するための操作を行わなくても、かつ電話番号または電子メールアドレスを原稿に記載しなくても、宛先を入力するだけで、目的の送信形態で画像情報を送信することができる画像通信装置を提供することである。
【課題を解決するための手段】
【００１６】
本発明は、宛先を表す宛先情報毎にファクシミリの電話番号を表す電話番号情報および電子メールのアドレスを表すアドレス情報を対応付けて記憶する記憶手段と、
原稿を読み取る読取手段と、
宛先情報を入力する入力手段と、
画像情報をファクシミリ送信するためのファクシミリ送信手段と、
画像情報を添付ファイルとして電子メール送信するための電子メール送信手段と、
原稿の予め定める領域に記載され、かつ原稿を送信するための送信形態をファクシミリ送信および電子メール送信を含む送信形態の中から少なくとも１つ選択するための識別情報であって、読取手段によって読み取られた画像情報に含まれる識別情報に基づいて、その識別情報によって選択される送信形態を識別する送信形態識別手段と、
送信形態識別手段によってファクシミリ送信を含む送信形態であると識別されると、入力手段によって入力された宛先情報に対応する電話番号情報を記憶手段から抽出し、抽出された電話番号情報が示すファクシミリ電話番号の送信先へ、読取手段によって読み取られた画像情報を、ファクシミリ送信手段によってファクシミリ送信させ、さらに、送信形態識別手段によって電子メール送信を含む送信形態であると識別されると、入力手段によって入力された宛先情報に対応するアドレス情報を記憶手段から抽出し、抽出されたアドレス情報が示す電子メールアドレスの送信先へ、読取手段によって読み取られた画像情報を、電子メール送信手段によって添付ファイルとして電子メール送信させる制御手段とを含むことを特徴とする画像通信装置である。
【００１７】
本発明に従えば、記憶手段によって、宛先を表す宛先情報毎にファクシミリの電話番号を表す電話番号情報および電子メールのアドレスを表すアドレス情報が対応付けて記憶され、読取手段によって、原稿が読み取られ、入力手段によって、宛先情報が入力され、送信形態識別手段によって、原稿の予め定める領域に記載され、かつ原稿を送信するための送信形態をファクシミリ送信および電子メール送信を含む送信形態の中から少なくとも１つ選択するための識別情報であって、読取手段によって読み取られた画像情報に含まれる識別情報に基づいて、その識別情報によって選択される送信形態が識別される。
【００１８】
さらに、制御手段によって、送信形態識別手段によってファクシミリ送信を含む送信形態であると識別されると、入力手段によって入力された宛先情報に対応する電話番号情報が記憶手段から抽出され、抽出された電話番号情報が示す電話番号の送信先へ、読取手段によって読み取られた画像情報が、ファクシミリ送信手段によってファクシミリ送信され、さらに、送信形態識別手段によって電子メール送信を含む送信形態であると識別されると、入力手段によって入力された宛先情報に対応するアドレス情報が記憶手段から抽出され、抽出されたアドレス情報が示す電子メールアドレスの送信先へ、読取手段によって読み取られた画像情報が、電子メール送信手段によって添付ファイルとして電子メール送信される。
【００１９】
このように、宛先を表す宛先情報毎にファクシミリの電話番号を表す電話番号情報および電子メールのアドレスを表すアドレス情報を対応付けて記憶手段に記憶しておき、原稿を送信するための送信形態をファクシミリ送信および電子メール送信を含む送信形態の中から少なくとも１つ選択するための識別情報が原稿の予め定める領域に記載された原稿を読み取り、読み取られた識別情報に基づいて送信形態を識別する。送信形態がファクシミリ送信を含む送信形態の場合、入力された宛先情報に対応する電話番号情報を記憶手段から抽出し、抽出された電話番号情報に対応するファクシミリ電話番号の送信先へ、読み取られた画像情報をファクシミリ送信し、さらに送信形態が電子メール送信を含む送信形態の場合、入力された宛先情報に対応するアドレス情報を記憶手段から抽出し、抽出されたアドレス情報に対応する電子メールアドレスの送信先へ、読み取られた画像情報を添付ファイルとして電子メール送信するので、原稿に送信形態を選択するための識別情報を記載しておけば、送信形態を選択するための操作を行わなくても、かつ電話番号または電子メールアドレスを原稿に記載しなくても、宛先を入力するだけで、目的の送信形態で画像情報を送信することができる。
【００２０】
また本発明は、宛先を表す宛先情報毎にファクシミリの電話番号を表す電話番号情報および電子メールのアドレスを表すアドレス情報を対応付けて記憶する記憶手段と、
原稿を読み取る読取手段と、
宛先情報を入力する入力手段と、
画像情報をファクシミリ送信するためのファクシミリ送信手段と、
原稿の予め定める領域に記載され、かつ原稿を送信するための送信形態をファクシミリ送信を含む送信形態の中から少なくとも１つ選択するための識別情報であって、読取手段によって読み取られた画像情報に含まれる識別情報に基づいて、その識別情報によって選択される送信形態を識別する送信形態識別手段と、
読取手段によって読み取られた画像情報をファクシミリ送信するための画像情報に変換する変換手段と、
送信形態識別手段によってファクシミリ送信を含む送信形態であると識別されると、入力手段によって入力された宛先情報に対応する電話番号情報を記憶手段から抽出し、抽出された電話番号情報が示すファクシミリ電話番号の送信先へ、変換手段によって変換された画像情報を、ファクシミリ送信手段によってファクシミリ送信させる制御手段とを含むことを特徴とする画像通信装置である。
【００２１】
本発明に従えば、記憶手段によって、宛先を表す宛先情報毎にファクシミリの電話番号を表す電話番号情報および電子メールのアドレスを表すアドレス情報が対応付けて記憶され、読取手段によって、原稿が読み取られ、入力手段によって、宛先情報が入力され、送信形態識別手段によって、原稿の予め定める領域に記載され、かつ原稿を送信するための送信形態をファクシミリ送信を含む送信形態の中から少なくとも１つ選択するための識別情報であって、読取手段によって読み取られた画像情報に含まれる識別情報に基づいて、その識別情報によって選択される送信形態が識別され、変換手段によって、読取手段によって読み取られた画像情報がファクシミリ送信するための画像情報に変換される。
【００２２】
さらに、制御手段によって、送信形態識別手段によってファクシミリ送信を含む送信形態であると識別されると、入力手段によって入力された宛先情報に対応する電話番号情報が記憶手段から抽出され、抽出された電話番号情報が示すファクシミリ電話番号の送信先へ、変換手段によって変換された画像情報が、ファクシミリ送信手段によってファクシミリ送信される。
【００２３】
このように、宛先を表す宛先情報毎にファクシミリの電話番号を表す電話番号情報および電子メールのアドレスを表すアドレス情報を対応付けて記憶手段に記憶しておき、識別情報が原稿の予め定める領域に記載された原稿を読み取り、読み取られた識別情報に基づいて送信形態を識別する。読み取られた画像情報はファクシミリ送信のため画像情報に変換される。送信形態がファクシミリ送信を含む送信形態の場合、入力された宛先情報に対応する電話番号情報を記憶手段から抽出し、抽出された電話番号情報に対応するファクシミリ電話番号の送信先へ、変換された画像情報をファクシミリ送信するので、原稿にファクシミリ送信を選択するための識別情報を記載しておけば、送信形態を選択するための操作を行わなくても、かつ電話番号を原稿に記載しなくても、宛先を入力するだけで、ファクシミリ送信で画像情報を送信することができる。
【００２４】
また本発明は、宛先を表す宛先情報毎にファクシミリの電話番号を表す電話番号情報および電子メールのアドレスを表すアドレス情報を対応付けて記憶する記憶手段と、
原稿を読み取る読取手段と、
宛先情報を入力する入力手段と、
画像情報を添付ファイルとして電子メール送信するための電子メール送信手段と、
原稿の予め定める領域に記載され、かつ原稿を送信するための送信形態を電子メール送信を含む送信形態の中から少なくとも１つ選択するための識別情報であって、読取手段によって読み取られた画像情報に含まれる識別情報に基づいて、その識別情報によって選択される送信形態を識別する送信形態識別手段と、
読取手段によって読み取られた画像情報を電子メール送信するための画像情報に変換する変換手段と、
送信形態識別手段によって電子メール送信を含む送信形態であると識別されると、入力手段によって入力された宛先情報に対応するアドレス情報を記憶手段から抽出し、抽出されたアドレス情報が示す電子メールアドレスの送信先へ、変換手段によって変換された画像情報を、電子メール送信手段によって添付ファイルとして電子メール送信させる制御手段とを含むことを特徴とする画像通信装置である。
【００２５】
本発明に従えば、記憶手段によって、宛先を表す宛先情報毎にファクシミリの電話番号を表す電話番号情報および電子メールのアドレスを表すアドレス情報が対応付けて記憶され、読取手段によって、原稿が読み取られ、入力手段によって、宛先情報が入力され、送信形態識別手段によって、原稿の予め定める領域に記載され、かつ原稿を送信するための送信形態を電子メール送信を含む送信形態の中から少なくとも１つ選択するための識別情報であって、読取手段によって読み取られた画像情報に含まれる識別情報に基づいて、その識別情報によって選択される送信形態が識別され、変換手段によって、読取手段によって読み取られた画像情報が電子メール送信するための画像情報に変換される。
【００２６】
さらに、制御手段によって、送信形態識別手段によって電子メール送信を含む送信形態であると識別されると、入力手段によって入力された宛先情報に対応するアドレス情報が記憶手段から抽出され、抽出されたアドレス情報が示す電子メールアドレスの送信先へ、変換手段によって変換された画像情報が、電子メール送信手段によって添付ファイルとして電子メール送信される。
【００２７】
このように、宛先を表す宛先情報毎にファクシミリの電話番号を表す電話番号情報および電子メールのアドレスを表すアドレス情報を対応付けて記憶手段に記憶しておき、識別情報が原稿の予め定める領域に記載された原稿を読み取り、読み取られた識別情報に基づいて送信形態を識別する。読み取られた画像情報は電子メール送信のため画像情報に変換される。送信形態が電子メール送信を含む送信形態の場合、入力された宛先情報に対応するアドレス情報を記憶手段から抽出し、抽出されたアドレス情報に対応する電子メールアドレスの送信先へ、読み取られた画像情報を添付ファイルとして電子メール送信するので、原稿に電子メール送信を選択するための識別情報を記載しておけば、送信形態を選択するための操作を行わなくても、かつ電子メールアドレスを原稿に記載しなくても、宛先を入力するだけで、電子メール送信で画像情報を送信することができる。
【００２８】
また本発明は、前記画像データ変換手段は、前記読取手段によって原稿から読み取られた画像情報を変換する際、その画像情報から識別情報を削除する識別情報削除手段を含むことを特徴とする。
【００２９】
本発明に従えば、変換手段が読取手段によって読み取られた識別情報を含む画像情報を変換する際、識別情報削除手段によって、読取手段によって読み取られた画像情報から識別情報が削除されるので、識別情報のない画像情報を作成することができる。
【００３０】
また本発明は、前記読取手段によって読み取られた画像情報から識別情報を削除する識別情報削除手段をさらに含み、
前記制御手段は、原稿から読み取られた画像情報をファクシミリ送信手段または電子メール送信手段によって送信させる際、識別情報削除手段によって識別情報が削除された画像情報を作成することを特徴とする。
【００３１】
本発明に従えば、識別情報削除手段によって、読取手段によって読み取られた画像情報に含まれる識別情報が削除され、制御手段によって、原稿から読み取られた画像情報をファクシミリ送信手段または電子メール送信手段によって送信させる際、識別情報削除手段によって識別情報が削除された画像情報が送信されるので、識別情報のない画像情報を送信することができる。
【００３２】
また本発明は、前記識別情報削除手段は、識別情報が記載されていた領域の情報を、白色の画像を表す画像情報に置き換えることを特徴とする。
【００３３】
本発明に従えば、識別情報削除手段によって、識別情報が記載されていた領域の情報が、白色の画素を表す画像情報に置き換えられるので、識別情報の領域を白色にすることができる。
【００３４】
また本発明は、前記識別情報削除手段は、識別情報が記載されていた領域の情報を、その識別情報が記載されていた領域に隣接する領域に含まれる画素の平均濃度の画像情報に置き換えることを特徴とする。
【００３５】
本発明に従えば、識別情報削除手段によって、識別情報が記載されていた領域の情報が、その識別情報が記載されていた領域に隣接する領域に含まれる画素の平均濃度の画像情報に置き換えられるので、識別情報の領域を、識別情報に隣接する領域の画素の平均濃度にすることができる。
【００３６】
また本発明は、前記予め定める領域は、複数ページから構成される原稿の各ページの予め定める領域であり、
前記制御手段は、各ページの予め定める領域に記載された識別情報に基づいて前記送信形態識別手段によって識別されたページ毎の送信形態で、各ページの画像情報を送信することを特徴とする。
【００３７】
本発明に従えば、予め定める領域つまり送信形態識別マークが記載される領域は、複数ページから構成される原稿の各ページの予め定める領域であり、制御手段によって、各ページの記載された識別情報に基づいて送信形態識別手段によって識別されたページ毎の送信形態で、各ページの画像情報が送信されるので、一度の読み取り動作で、原稿のページ毎に送信形態を分けて送信することができる。
【００３８】
また本発明は、前記制御手段は、前記送信形態識別手段が識別情報によって送信形態を識別することができないページの画像情報を、１つ前のページの画像情報を送信する送信形態と同じ送信形態で送信することを特徴とする。
【００３９】
本発明に従えば、制御手段によって、送信形態識別手段が識別情報によって送信形態を識別することができないページの画像情報が、１つ前のページの画像情報を送信する送信形態と同じ送信形態で送信されるので、すべてのページに識別情報を記載しなくても、一度の読み取り動作で、原稿のページ毎に送信形態を分けて送信することができる。
【００４０】
また本発明は、前記記憶手段は、画像情報を送信する送信形態を、ファクシミリ送信とするか電子メール送信とするかを表す優先設定情報を宛先情報毎にさらに記憶し、
前記制御手段は、前記送信形態識別手段が識別情報によって送信形態を識別することができないページの画像情報を、記憶手段に記憶された優先設定情報のうち、画像情報を送信する宛先の宛先情報に対応する優先設定情報が示す送信形態で送信することを特徴とする。
【００４１】
本発明に従えば、記憶手段によって、画像情報を送信する送信形態を、ファクシミリ送信とするか電子メール送信とするかを表す優先設定情報が宛先情報毎に記憶され、
制御手段によって、送信形態識別手段が識別情報によって送信形態を識別することができないページの画像情報が、記憶手段に記憶された優先設定情報のうち、画像情報を送信する宛先の宛先情報に対応する優先設定情報が示す送信形態で送信されるので、優先する送信形態を事前に設定しておけば、優先する送信形態と異なる送信形態のページにのみ識別情報を記載するだけで、一度の読み取り動作によって、原稿のページ毎に送信形態を分けて送信することができる。
【発明の効果】
【００４２】
本発明によれば、原稿に送信形態を選択するための識別情報を記載しておけば、送信形態を選択するための操作を行わなくても、かつ電話番号または電子メールアドレスを原稿に記載しなくても、宛先を入力するだけで、目的の送信形態で画像情報を送信することができるので、オペレータつまり原稿を送信する操作を行う人は送信形態を意識することなく画像送信することができる。送信形態を選択する操作を行う必要がないので、手順を簡略化することができ、オペレータによる誤操作を防止することができる。すなわち、誤操作による発信間違いを減らすことができ、情報の漏洩に対するリスクを軽減することができる。
【００４３】
さらに、送信後、どちらの送信形態で送信したかは、送信原稿に記載された記号つまり識別情報を見ることによって判別することができる。一つの宛先に対して、一つの原稿を両方の送信形態で送信する場合、別々に送信動作を行う必要はなく、その原稿に両方のマーキングを施すことによって、一度に読み取り動作を行うことができる。さらに文字認識を行なう必要がないので、文字認識を行なう画像通信装置よりも、価格を低くすることができる。
【００４４】
また本発明によれば、原稿にファクシミリ送信を選択するための識別情報を記載しておけば、送信形態を選択するための操作を行わなくても、かつ電話番号を原稿に記載しなくても、宛先を入力するだけで、ファクシミリ送信で画像情報を送信することができるので、オペレータつまり原稿を送信する操作を行う人は送信形態を意識することなく画像送信することができる。送信形態を選択する操作を行う必要がないので、手順を簡略化することができ、オペレータによる誤操作を防止することができる。すなわち、誤操作による発信間違いを減らすことができ、情報の漏洩に対するリスクを軽減することができる。
【００４５】
また本発明によれば、原稿に電子メール送信を選択するための識別情報を記載しておけば、送信形態を選択するための操作を行わなくても、かつ電子メールアドレスを原稿に記載しなくても、宛先を入力するだけで、電子メール送信で画像情報を送信することができるので、オペレータつまり原稿を送信する操作を行う人は送信形態を意識することなく画像送信することができる。送信形態を選択する操作を行う必要がないので、手順を簡略化することができ、オペレータによる誤操作を防止することができる。すなわち、誤操作による発信間違いを減らすことができ、情報の漏洩に対するリスクを軽減することができる。
【００４６】
また本発明によれば、識別情報のない画像情報を作成することができるので、少なくともファクシミリ送信を行うことができる画像通信装置でファクシミリ送信を行なう際、または少なくとも電子メール送信を行うことができる画像通信装置で電子メール送信を行なう際、本来必要な情報のみを送信することができ、識別情報は受信者には認識されない。
【００４７】
また本発明によれば、識別情報のない画像情報を作成することができるので、少なくともファクシミリ送信および電子メール送信を行うことができる画像通信装置でファクシミリ送信または電子メール送信を行なう際、本来必要な情報のみを送信することができ、識別情報は受信者には認識されない。
【００４８】
また本発明によれば、識別情報の領域を白色にすることができるので、原稿が白地であれば、識別情報が削除された領域と隣接する領域との違和感なく識別情報を削除することができる。
【００４９】
また本発明によれば、識別情報の領域を、識別情報に隣接する領域の画素の平均濃度にすることができるので、識別情報が削除された領域と隣接する領域との違和感なく識別情報を削除することができる。
【００５０】
また本発明によれば、一度の読み取り動作で、原稿のページ毎に送信形態を分けて送信することができるので、ユーザの利便性が向上する。
【００５１】
また本発明によれば、すべてのページに識別情報を記載しなくても、一度の読み取り動作で、原稿のページ毎に送信形態を分けて送信することができるので、ユーザの作業を軽減するとともに、利便性が向上する。
【００５２】
また本発明によれば、優先する送信形態を事前に設定しておけば、優先する送信形態と異なる送信形態のページにのみ識別情報を記載するだけで、一度の読み取り動作によって、原稿のページ毎に送信形態を分けて送信することができるので、ユーザの作業を軽減するとともに、利便性が向上する。
【発明を実施するための最良の形態】
【００５３】
図１は、本発明の実施の一形態であるファクシミリ電子メール電送装置１の構成を示すブロック図である。画像通信装置であるファクシミリ電子メール電送装置１は、主制御部２、パネル部３、読み取り部４、画像処理部５、メモリ部６、ＦＡＸ（Facsimile）通信制御部７、およびネットワーク制御部８を含む。
【００５４】
主制御部２は、たとえばＣＰＵ（Central Processing Unit）によって構成され、メモリ部６に記憶されるプログラムを実行することによって、後述するフローチャートに示す処理を行い、装置全体を制御する。パネル部３は、たとえば操作キーおよび液晶ディスプレイによって構成され、宛先の入力および装置のオペレーションを行うキー入力機能と、入力内容および装置の状態を表示する表示機能を有する。パネル部３は、入力された情報を主制御部２に送り、主制御部２から受け取った情報を表示する。
【００５５】
読み取り部４は、光学センサによって送信原稿の画像情報を読み取り、読み取った画像情報（以下画像データという）を主制御部２に送る。画像処理部５は、読み取り部４で読み取られた画像データを主制御部２から受け取り、受け取った画像データから原稿の所定領域に記載されている送信形態識別マークを検出する。さらに、主制御部２から受け取った画像データを送信形態に対応した画像データに変換処理する。たとえば解像度変換あるいは２値化などの変換処理を行う。変換処理後の画像データは、主制御部２に送られる。
【００５６】
メモリ部６は、たとえば半導体メモリなどの記憶装置によって構成され、主制御部２で実行されるプログラム、ならびに通信データおよび後述する宛先リストを記憶し、さらに、ワーキングメモリとしても機能する。ＦＡＸ通信制御部７は、公衆回線に接続され、公衆回線を通じて通信網に接続される他の画像通信装置とのＦＡＸ通信を制御する。ネットワーク制御部８は、ネットワークに接続され、インターフェース制御および電子メールの送信を制御する。
【００５７】
図２は、図１に示したファクシミリ電子メール電送装置１の斜視図である。ファクシミリ電子メール電送装置１には、前面にパネル部３に対応する操作パネルがあり、入力操作を行う操作キー１２が配置されている。さらに、液晶ディスプレイなどの表示装置１３を備え、入力された情報などを確認することができる。読み取り装置１４は、原稿を光学的に読み取る装置であり、読み取り部４に相当する。電話回線モジュラージャック１５は、ＦＡＸ送信のためのモジュラージャックであり、公衆回線と接続される。ＬＡＮ（Local
Area Network）モジュラージャック１６は、電子メールを送信するためのモジュラージャックであり、ＬＡＮに接続される。
【００５８】
図３は、図１に示したメモリ部６に記憶される登録リストを示す。登録リストには、短縮キーの番号「Ｎｏ．」の項目、ならびに各短縮キーに対応する「宛先名」、「ＦＡＸ電話番号」、「電子メールアドレス」、および「優先設定」の項目がある。各項目は、パネル部３のキー入力機能によって入力され、登録リストに登録される。優先設定は、送信形態が指定されなかった場合に、優先して選択される送信形態が登録される。
【００５９】
図３では、Ｎｏ．１の短縮キーに対応する宛先名、ＦＡＸ電話番号、電子メールアドレス、および優先設定は、それぞれ「Ａさん」、「１１１−１１１−１１１１」、「ａａａ＠ａａａ．ｃｏ．ｊｐ」、および「ＦＡＸ」である。Ｎｏ．２の短縮キーに対しては、「Ｂさん」、「２２２−２２２−２２２２」、「ｂｂｂ＠ｂｂｂ．ｃｏ．ｊｐ」、および「電子メール」、Ｎｏ．３の短縮キーに対しては、「Ｃさん」、「３３３−３３３−３３３３」、「ｃｃｃ＠ｃｃｃ．ｃｏ．ｊｐ」、および「電子メール」、Ｎｏ．４の短縮キーに対しては、「Ｄさん」、「４４４−４４４−４４４４」、「ｄｄｄ＠ｄｄｄ．ｃｏ．ｊｐ」、および「電子メール」、ならびにＮｏ．５の短縮キーに対しては、「Ｅさん」、「５５５−５５５−５５５５」、「ｅｅｅ＠ｅｅｅ．ｃｏ．ｊｐ」、および「ＦＡＸ」である。
【００６０】
図４は、図１に示したファクシミリ電子メール電送装置１で読み取られる原稿Ｐ１の一例を示す。原稿Ｐ１は、画像有効エリアＰ１ａの周辺部の上端部左コーナーのマーキング領域Ａ１ｌおよび上端部右コーナーのマーキング領域Ａ１ｒを有する。
【００６１】
図５は、図４に示したマーキング領域に記載される送信形態識別マークを示す。図５（ａ）は、マーキング領域Ａ１ｌに記載されるマークＭｆを示し、図５（ｂ）は、マーキング領域Ａ１ｒに記載されるマークＭｅを示す。マーキング領域Ａ１ｌにマークＭｆが記載されていると、ＦＡＸ送信指定を示し、マーキング領域Ａ１ｒにマークＭｅが記載されていると、電子メール送信指定を示す。両方のマークが記載されてもよい。
【００６２】
図６は、図１に示したファクシミリ電子メール電送装置１が処理する前半のフローチャートである。ファクシミリ電子メール電送装置１の電源が投入されて、原稿の読み取りが可能になると、ステップＳ１に移る。
【００６３】
ステップＳ１では、原稿がセットされたことを検知したか否か判断する。すなわち原稿が読み取り装置１４にセットされたことを図示しない原稿検知センサが検知したか否かを判断する。原稿がセットされたことを検知すると、ステップＳ２に進み、原稿がセットされたことを検知しないと、ステップＳ１に戻る。ステップＳ２では、パネル部３の操作キー１２によって宛先が入力される。宛先の入力は、文字あるいは数字を直接入力してもよいが、登録リストに登録されている宛先を表示して、表示された宛先から目的の宛先を選択するようにしてもよい。ステップＳ３では、読み取り部４にセットされた原稿を読み取る。原稿が複数あるときは、すべての原稿を読み取る。
【００６４】
ステップＳ４では、ＦＡＸ送信識別記号があるか否かを判断する。すなわち、読み取り部４によって読み取られた画像データのマーキング領域Ａ１ｌにＦＡＸ送信識別記号つまりマークＭｆがあるか否かを判断する。ＦＡＸ送信識別記号があると、ステップＳ５に進み、ＦＡＸ送信識別記号がないと、ステップＳ６に進む。ステップＳ５では、電子メール送信識別記号があるか否かを判断する。すなわち、読み取り部４によって読み取られた画像データのマーキング領域Ａ１ｒに電子メール送信識別記号つまりマークＭｅがあるか否かを判断する。電子メール送信識別記号があると、図７（ｃ）に示すステップＳ３０に進み、電子メール送信識別記号がないと、図７（ａ）に示すステップＳ１０に進む。
【００６５】
ステップＳ６では、電子メール送信識別記号があるか否かを判断する。電子メール送信識別記号があると、図７（ｂ）に示すステップＳ２０に進み、電子メール送信識別記号がないと、ステップＳ７に進む。ステップＳ７では、優先設定はＦＡＸか否かを判断する。すなわちステップＳ２で入力された宛先の優先設定がＦＡＸか否かを、メモリ部６に記憶されている登録リストに基づいて判断する。優先設定がＦＡＸであると、図７（ａ）に示すステップＳ１０に進み、優先設定がＦＡＸでないと、つまり優先設定が電子メールであると、図７（ｂ）に示すステップＳ２０に進む。
【００６６】
図７は、図１に示したファクシミリ電子メール電送装置１が処理する後半のフローチャートである。図７（ａ）は、ＦＡＸ送信を行うフローチャートを示す。図６に示したステップＳ５で、電子メール送信識別記号がない場合、および図６に示したステップＳ７で、優先設定がＦＡＸの場合、ステップＳ１０に移る。
【００６７】
ステップＳ１０では、読み取り画像データをＦＡＸ用に変換する。具体的には、画像処理部５が、読み取り部４がステップＳ３で読み取った画像データの解像度および画像サイズをＦＡＸ送信用に変換する。ステップＳ１１では、宛先に登録されているＦＡＸ番号を抽出する。すなわち、メモリ部６に記憶されている登録リストから、ステップＳ２で入力された宛先に対応するＦＡＸ電話番号を抽出する。たとえばステップＳ２で、短縮キー「３」が宛先として入力されると、図３に示した登録リストからＦＡＸ電話番号「３３３−３３３−３３３３」が抽出される。ステップＳ１２では、ＦＡＸ通信制御部７が、ステップＳ１１で抽出されたＦＡＸ電話番号へ発呼して、ステップＳ１０で変換された画像データをＦＡＸ送信して、処理を終了する。
【００６８】
図７（ｂ）は、電子メール送信を行うフローチャートを示す。図６に示したステップＳ６で、電子メール送信識別記号がある場合、および図６に示したステップＳ７で、優先設定がＦＡＸでない場合、ステップＳ２０に移る。
【００６９】
ステップＳ２０では、読み取り画像データから添付ファイルを作成する。すなわち、画像処理部５が、読み取り部４がステップＳ３で読み取った画像データを、電子メールのファイル形式に変換する。ステップＳ２１では、宛先に登録されている電子メールアドレスを抽出する。すなわち、メモリ部６に記憶されている登録リストから、ステップＳ２で入力された宛先に対応する電子メールアドレスを抽出する。たとえばステップＳ２で、短縮キー「３」が宛先として入力されると、図３に示した登録リストから電子メールアドレス「ｃｃｃ＠ｃｃｃ．ｃｏ．ｊｐ」が抽出される。ステップＳ２２では、ネットワーク制御部８が、ステップＳ２１で抽出された電子メールアドレスの送信先へ、ステップＳ２０で作成された添付ファイルつまりファイル形式の画像データを添付して電子メール送信して、処理を終了する。
【００７０】
図７（ｃ）は、ＦＡＸ送信および電子メール送信を行うフローチャートを示す。図６に示したステップＳ５で、電子メール送信識別記号がある場合、ステップＳ３０に移る。
【００７１】
ステップＳ３０〜ステップＳ３２は、それぞれ図７（ａ）に示したステップＳ１０〜ステップＳ１２と同じ処理を行い、ステップＳ３３〜ステップＳ３５は、それぞれ図７（ｂ）に示したステップＳ２０〜ステップＳ２２と同じ処理を行うので、説明は省略する。
【００７２】
原稿が複数ある場合、ステップＳ４〜ステップＳ６での判断は、先頭の原稿に記載されているＦＡＸ送信識別記号によって判断する。
【００７３】
記憶手段は、たとえばメモリ部６であり、読取手段は、たとえば読み取り部４であり、入力手段は、たとえばパネル部３であり、送信形態識別手段は、たとえば画像処理部５であり、ファクシミリ送信手段は、たとえばＦＡＸ通信制御部７であり、電子メール送信手段は、たとえばネットワーク制御部８であり、制御手段は、たとえば主制御部２であり、変換手段は、たとえば画像処理部５である。
【００７４】
このように、宛先を表す宛先情報毎にファクシミリの電話番号を表す電話番号情報および電子メールのアドレスを表すアドレス情報を対応付けて記憶手段であるメモリ部６に記憶しておき、原稿を送信するための送信形態をファクシミリ送信および電子メール送信を含む送信形態の中から少なくとも１つ選択するための識別情報たとえば送信形態識別マークが、原稿の予め定める領域たとえば原稿の先端部のマーキング領域に記載された原稿を読み取り、読み取られた識別情報に基づいて送信形態を識別する。送信形態がファクシミリ送信を含む送信形態の場合、入力された宛先情報に対応する電話番号情報を記憶手段から抽出し、抽出された電話番号情報に対応するファクシミリ電話番号の送信先へ、読み取られた画像情報をファクシミリ送信し、さらに送信形態が電子メール送信を含む送信形態の場合、入力された宛先情報に対応するアドレス情報を記憶手段から抽出し、抽出されたアドレス情報に対応する電子メールアドレスの送信先へ、読み取られた画像情報を添付ファイルとして電子メール送信するので、原稿に送信形態を選択するための識別情報を記載しておけば、送信形態を選択するための操作を行わなくても、かつ電話番号または電子メールアドレスを原稿に記載しなくても、宛先を入力するだけで、目的の送信形態で画像情報を送信することができる。すなわち、送信形態をＦＡＸにするか電子メールにするかを示す簡易なマークを送信原稿の所定の領域に記載し、通常通り宛先を指定して原稿を読み取るだけで、自動的に送信形態が選択され、所定の送信形態で送信される。
【００７５】
したがって、オペレータつまり原稿を送信する操作を行う人は送信形態を意識することなく画像送信することができる。送信形態を選択する操作を行う必要がないので、手順を簡略化することができ、オペレータによる誤操作を防止することができる。すなわち、誤操作による発信間違いを減らすことができ、情報の漏洩に対するリスクを軽減することができる。
【００７６】
さらに、送信後、どちらの送信形態で送信したかは、送信原稿に記載された記号つまり識別情報を見ることによって判別することができる。一つの宛先に対して、一つの原稿を両方の送信形態で送信する場合、別々に送信動作を行う必要はなく、その原稿に両方のマーキングを施すことによって、一度に読み取り動作を行うことができる。文字認識を行なう必要がないので、文字認識を行なう画像通信装置よりも、価格を低くすることができる。
【００７７】
さらに、宛先を表す宛先情報毎にファクシミリの電話番号を表す電話番号情報および電子メールのアドレスを表すアドレス情報を対応付けて記憶手段である記憶部６に記憶しておき、識別情報たとえば送信形態識別マークが原稿の予め定める領域たとえば原稿の先端部のマーキング領域に記載された原稿を読み取り、読み取られた識別情報に基づいて送信形態を識別する。読み取られた画像情報はファクシミリ送信のため画像情報に変換される。送信形態がファクシミリ送信を含む送信形態の場合、入力された宛先情報に対応する電話番号情報を記憶手段から抽出し、抽出された電話番号情報に対応するファクシミリ電話番号の送信先へ、変換された画像情報をファクシミリ送信するので、原稿にファクシミリ送信を選択するための識別情報を記載しておけば、送信形態を選択するための操作を行わなくても、かつ電話番号を原稿に記載しなくても、宛先を入力するだけで、ファクシミリ送信で画像情報を送信することができる。
【００７８】
したがって、オペレータつまり原稿を送信する操作を行う人は送信形態を意識することなく画像送信することができる。送信形態を選択する操作を行う必要がないので、手順を簡略化することができ、オペレータによる誤操作を防止することができる。すなわち、誤操作による発信間違いを減らすことができ、情報の漏洩に対するリスクを軽減することができる。
【００７９】
さらにまた、宛先を表す宛先情報毎にファクシミリの電話番号を表す電話番号情報および電子メールのアドレスを表すアドレス情報を対応付けて記憶手段であるメモリ部６に記憶しておき、識別情報たとえば送信形態識別マークが原稿の予め定める領域に記載された原稿を読み取り、読み取られた識別情報に基づいて送信形態を識別する。読み取られた画像情報は電子メール送信のため画像情報に変換される。送信形態が電子メール送信を含む送信形態の場合、入力された宛先情報に対応するアドレス情報を記憶手段から抽出し、抽出されたアドレス情報に対応する電子メールアドレスの送信先へ、読み取られた画像情報を添付ファイルとして電子メール送信するので、原稿に電子メール送信を選択するための識別情報を記載しておけば、送信形態を選択するための操作を行わなくても、かつ電子メールアドレスを原稿に記載しなくても、宛先を入力するだけで、電子メール送信で画像情報を送信することができる。
【００８０】
したがって、オペレータつまり原稿を送信する操作を行う人は送信形態を意識することなく画像送信することができる。送信形態を選択する操作を行う必要がないので、手順を簡略化することができ、オペレータによる誤操作を防止することができる。すなわち、誤操作による発信間違いを減らすことができ、情報の漏洩に対するリスクを軽減することができる。
【００８１】
図８は、送信形態識別マークが削除された原稿の例を示す。図８（ａ）は、送信形態識別マークが削除される前の原稿の一例である。原稿の先端部には、マーキング領域Ａ１ｌ、マーキング領域Ａ１ｒ、およびそれら２つのマーキング領域の間の領域Ａ１ｍがあり、マーキング領域Ａ１ｌには、ＦＡＸ送信指定を示すマークＭｆが記載されている。
【００８２】
図８（ｂ）は、送信形態識別マークが削除された原稿の一例である。図８（ａ）に示されたマークＭｆがマーキング領域Ａ１ｌから削除されている。これは、画像処理部５が、読み取り部４によって読み取られた画像データを、ＦＡＸ用の画像データに変換する際、または電子メールのファイル形式に変換する際、送信形態識別マークがあるマーキング領域の画像データを、白色の画素を表す画像データに置き換えることによって、送信形態識別マークを削除したものである。識別情報削除手段は、たとえば画像処理部５である。
【００８３】
このように、読取手段である読み取り部４によって原稿から読み取られた画像情報である画像データに含まれる識別情報つまり送信形態識別マークが削除されるので、識別情報のない画像情報を作成することができる。したがって、画像通信装置であるファクシミリ電子メール電送装置１が画像情報を送信することができる送信形態で送信する際、本来必要な情報のみを送信することができ、識別情報は受信者には認識されない。
【００８４】
さらに、識別情報つまり送信形態識別マークが記載されていた領域の情報が、白色の画素を表す画像情報に置き換えられるので、識別情報の領域を白色にすることができる。したがって、原稿が白地であれば、識別情報を違和感なく削除することができる。
【００８５】
図８（ｃ）は、送信形態識別マークが削除された原稿の他の例である。図８（ａ）に示されたマークＭｆがマーキング領域Ａ１ｌから削除されている。これは、画像処理部５が、送信形態識別マークがあるマーキング領域の画像データを、領域Ａ１ｍの平均画素濃度の画像データに置き換えたものである。画像処理部５は、領域Ａ１ｍに含まれるすべての画素の濃度の平均を求めることによって、平均画素濃度を算出する。
【００８６】
このように、識別情報つまり送信形態識別マークが記載されていた領域の情報が、その識別情報が記載されていた領域に隣接する領域に含まれる画素の平均濃度の画像情報に置き換えられるので、識別情報の領域を、識別情報に隣接する領域の画素の平均濃度にすることができる。したがって、識別情報を違和感なく削除することができる。
【００８７】
上述した実施の形態では、原稿が複数であっても、まとめて同じ宛先に送信するすべての原稿を、１つの送信形態で送信する場合について説明したが、原稿毎にたとえばページ毎に送信形態を選択することができるようにしてもよい。具体的には、各ページに記載された送信形態識別マークによって、ページ毎に送信形態を判断する。
【００８８】
図９は、送信形態が異なる複数の原稿の例を示す。この原稿は、同じ宛先に送信する原稿であるが、原稿のページによって送信形態が異なるものである。
【００８９】
図９（ａ）は、すべてのページに送信形態識別マークが記載されている原稿の例を示す。すべてのページに送信形態識別マークが記載されている原稿に対する処理は以下を除いて、図６および図７に示したフローチャートと同じ処理である。図６に示したステップＳ３で、読み取り部４がセットされたすべての原稿を読み取ると、画像処理部５は、ステップＳ４〜ステップＳ７ですべてのページについて、各ページの送信形態識別マークに基づいて送信形態の識別を行い、各ページの画像データを送信形態毎に再編成する。すなわち、ＦＡＸ送信指定の送信形態識別マークのあるページの画像データをＦＡＸ送信用のデータとしてまとめ、さらに電子メール送信指定の送信形態識別マークのあるページの画像データを電子メール送信用のデータとしてまとめる。
【００９０】
すべてのページの画像データを再編成すると、図７（ｃ）に示したステップＳ３０に進み、ステップＳ３０では、読み取り画像データのうちで、ＦＡＸ送信用のデータとして再編成されたデータをＦＡＸ用に変換し、変換されたＦＡＸ用のデータを、ステップＳ３２でＦＡＸ送信する。さらにステップＳ３３では、読み取り画像データのうちで、電子メール送信用のデータとして再編成されたデータから添付ファイルを作成し、作成されたファイルを、ステップＳ３５で添付して電子メール送信する。
【００９１】
図９（ａ）に示した例は、同じ宛先に送信される５ページの原稿であり、第１ページ、第２ページ、および第４ページのマーキング領域には、ＦＡＸ送信を示すマークＭｆが記載され、第３ページおよび第５ページのマーキング領域には、電子メール送信を示すマークＭｅが記載されている。第１ページ、第２ページ、および第４ページの画像データがＦＡＸ送信用のデータとしてまとめられ、連続する３ページの画像データとして、ＦＡＸ通信制御部７によって、入力された宛先に対応するＦＡＸ電話番号へ送信さる。さらに、第３ページおよび第５ページの画像データが、連続する２ページの画像データとして電子メール送信用のファイル形式にまとめられ、ネットワーク制御部８によって、入力された宛先に対応する電子メールアドレスへ送信される。
【００９２】
このように、識別情報つまり送信形態識別マークが複数ページから構成される原稿の各ページに記載され、原稿のページ毎に識別された送信形態で、各ページの画像情報が送信されるので、一度の読み取り動作で、原稿のページ毎に送信形態を分けて送信することができる。したがって、ユーザの利便性が向上する。
【００９３】
図９（ｂ）は、送信形態識別マークが記載されていないページを含む原稿の例を示す。送信形態識別マークが記載されていないページを含む原稿に対する処理は、以下を除いて、図６および図７に示したフローチャートと同じ処理である。
【００９４】
図６に示したステップＳ３で、読み取り部４がセットされたすべての原稿を読み取ると、画像処理部５は、ステップＳ４〜ステップＳ７ですべてのページについて、各ページの送信形態識別マークに基づいて送信形態の識別を行い、各ページの画像データを送信形態毎に再編成する。ステップＳ７では、マークＭｆもマークＭｅも識別されない場合、たとえば送信形態識別マークが記載されていない場合、登録リストの優先設定によって送信形態を判断したが、図９（ｂ）では、送信形態識別マークが記載されていないページは、１つ前のページの送信形態と同じ送信形態に再編成する。すなわち、ＦＡＸ送信指定の送信形態識別マークのあるページおよびそのページに引続く送信形態識別マークのないページの画像データをＦＡＸ送信用のデータとしてまとめ、さらに、電子メール送信指定の送信形態識別マークのあるページおよびそのページに引続く送信形態識別マークのないページの画像データを電子メール送信用の画像データのファイル形式にまとめる。
【００９５】
すべてのページの画像データを再編成すると、図７（ｃ）に示したステップＳ３０に進み、ステップＳ３０では、読み取り画像データのうちで、ＦＡＸ送信用のデータとして再編成されたデータをＦＡＸ用に変換し、変換されたＦＡＸ用のデータを、ステップＳ３２でＦＡＸ送信する。さらに、ステップＳ３３では、読み取り画像データのうちで、電子メール送信用のデータとして再編成されたデータから添付ファイルを作成し、作成されたファイルを、ステップＳ３５で添付して電子メール送信する。
【００９６】
図９（ｂ）に示した例は、同じ宛先に送信される５ページの原稿であり、第１ページのマーキング領域には、ＦＡＸ送信を示すマークＭｆが記載され、第４ページのマーキング領域には、電子メール送信を示すマークＭｅが記載され、第２ページ、第３ページ、および第５ページのマーキング領域には、マークＭｆもマークＭｅも記載されていない。マーキング領域にマークＭｆもマークＭｅも記載されていないページは、１つ前のページの送信形態と同じ送信形態で送信することを示す。第１ページ〜第３ページの画像データがＦＡＸ送信用のデータとしてまとめられ、連続する３ページの画像データとして、ＦＡＸ通信制御部７によって、入力された宛先に対応するＦＡＸ電話番号へ送信される。さらに、第４ページおよび第５ページの画像データが、連続する２ページの画像データとして電子メール送信用のファイル形式にまとめられ、ネットワーク制御部８によって、入力された宛先に対応する電子メールアドレスへ送信される。
【００９７】
このように、識別情報つまり送信形態識別マークを識別することができないページの画像情報つまり画像データが、１つ前のページの画像情報を送信する送信形態で送信されるので、すべてのページに識別情報を記載しなくても、一度の読み取り動作で、原稿のページ毎に送信形態を分けて送信することができる。したがって、ユーザの作業を軽減するとともに、利便性が向上する。
【００９８】
図９（ｂ）に示した実施の形態では、図６に示したステップＳ７で、送信形態識別マークが記載されていないページの送信形態を、優先設定によって判断せずに、１つ前のページの送信形態で判断したが、元のステップＳ７と同じように、優先設定によって判断してもよい。すなわち、図３に示した登録リストの優先設定がＦＡＸであれば、送信形態をファクシミリ送信とし、登録リストの優先設定が電子メールであれば、送信形態を電子メール送信とする。１つ前のページの送信形態によって判断するか、登録リストの優先設定によって判断するかは、予めどちらか１つに決めて置いてもよいが、ユーザがパネル部３からどちらかを選択することができるようにしてもよい。
【００９９】
このように、識別情報つまり送信形態識別マークを識別することができないページの画像情報つまり画像データが、記憶手段たとえばメモリ部６に記憶された優先設定情報つまり優先設定のうち、画像情報を送信する宛先の宛先情報つまり宛先名に対応する優先設定情報が示す送信形態で送信されるので、優先する送信形態を事前に設定しておけば、優先する送信形態と異なる送信形態のページにのみ識別情報を記載するだけで、一度の読み取り動作によって、原稿のページ毎に送信形態を分けて送信することができる。したがって、ユーザの作業を軽減するとともに、利便性が向上する。
【図面の簡単な説明】
【０１００】
【図１】本発明の実施の一形態であるファクシミリ電子メール電送装置１の構成を示すブロック図である。
【図２】図１に示したファクシミリ電子メール電送装置１の斜視図である。
【図３】図１に示したメモリ部６に記憶される登録リストを示す。
【図４】図１に示したファクシミリ電子メール電送装置１で読み取られる原稿Ｐ１の一例を示す。
【図５】図４に示したマーキング領域に記載される送信形態識別マークを示す。
【図６】図１に示したファクシミリ電子メール電送装置１が処理する前半のフローチャートである。
【図７】図１に示したファクシミリ電子メール電送装置１が処理する後半のフローチャートである。
【図８】送信形態識別マークが削除された原稿の例を示す。
【図９】送信形態が異なる複数ページの原稿の例を示す。
【図１０】第１の従来の技術による複合機に登録される宛先の登録リストの一例である。
【図１１】図１０に示した登録リストが登録された複合機におけるＦＡＸ送信および電子メール送信のフローチャートである。
【符号の説明】
【０１０１】
１  ファクシミリ電子メール電送装置
２  主制御部
３  パネル部
４  読み取り部
５  画像処理部
６  メモリ部
７  ＦＡＸ通信制御部
８  ネットワーク制御部
１２  操作キー
１３  表示装置
１４  読み取り装置
１５  電話回線モジュラージャック
１６  ＬＡＮモジュラージャック
【図１】
2007215047.tif 000003
【図２】
2007215047.tif 000004
【図３】
2007215047.tif 000005
【図４】
2007215047.tif 000006
【図５】
2007215047.tif 000007
【図６】
2007215047.tif 000008
【図７】
2007215047.tif 000009
【図８】
2007215047.tif 000010
【図９】
2007215047.tif 000011
【図１０】
2007215047.tif 000012
【図１１】
2007215047.tif 000013